(57)【要約】【課題】検品を容易に行うことができるテレビジョン受信装置及びテレビジョン受信装置の検査方法を実現する。【解決手段】所定順に所定タイミング毎にそれぞれ同じ映像が表示されては自動的に次の映像に切り替えられる複数のテレビジョン受信装置１０を並べるなどして、それぞれのモニタ４における映像の表示状態を比較することによって、複数のテレビジョン受信装置１０の中から映像の表示状態や表示形態に異常のあるテレビジョン受信装置１０を見付け出すようにして、テレビジョン受信装置１０の検査、検品を行うことを可能にした。【選択図】図１
2008078783.tif 000002
【特許請求の範囲】
【請求項１】
複数チャンネルの周波数データを予め記憶している記憶手段と、
前記記憶手段に記憶されている複数チャンネルの周波数データに応じて、所定のチャンネルを選局する選局制御手段と、
前記選局制御手段により選局されたチャンネルの周波数に応じた放送信号を受信する選局受信手段と、
前記選局受信手段により受信された放送信号に応じた映像を表示する表示手段と、
を備えるテレビジョン受信装置であって、
前記選局制御手段が、所定の順に所定のタイミング毎、様々なチャンネルを自動的に選局することによって、その選局されたチャンネルの周波数に応じた放送信号を前記選局受信手段が受信し、そのチャンネルに対応する映像を所定の順に所定のタイミング毎に前記表示手段が表示することを特徴とするテレビジョン受信装置。
【請求項２】
複数チャンネルの周波数データを予め記憶している記憶手段と、
前記記憶手段に記憶されている複数チャンネルの周波数データに応じて、所定のチャンネルを選局する選局制御手段と、
前記選局制御手段により選局されたチャンネルの周波数に応じた放送信号を受信する選局受信手段と、
前記選局受信手段により受信された放送信号に応じた映像を表示する表示手段と、
を備えるテレビジョン受信装置を工場生産時に検査するテレビジョン受信装置の検査方法であって、
複数のテレビジョン受信装置におけるそれぞれの前記選局制御手段に、様々なチャンネルを所定の順に所定のタイミング毎、自動的に選局させて、その選局されたチャンネルの周波数に応じた放送信号を前記選局受信手段に受信させるとともに、そのチャンネルに対応する映像を所定の順に所定のタイミング毎に、複数のテレビジョン受信装置のそれぞれの表示手段に表示させることによって、複数のテレビジョン受信装置における映像の表示状態の比較を行うことを特徴とするテレビジョン受信装置の検査方法。
【発明の詳細な説明】
【技術分野】
【０００１】
本発明は、テレビジョン受信装置及びテレビジョン受信装置の検査方法に係り、特に工場生産時における検品が簡便なテレビジョン受信装置及びテレビジョン受信装置の検査方法に関する。
【背景技術】
【０００２】
従来、テレビジョン受信装置の記憶手段に、所定画面表示用の周波数データを予め記憶しておくことにより、工場生産時における検品の際にリモコン操作を行うことで複数の検査用画面の表示切り替えを行うことを可能にして、検品工程にかかる時間を短縮することができるテレビジョン受信装置が知られている（例えば、特許文献１参照。）。
【０００３】
また、所定のテストパターンの表示データを記憶する表示装置が表示画面に表示したテストパターンの色をカラーセンサで検出して、所定の色でテストパターンが表示されているか否かを判定することで、自動的に検品を行うことを可能にする評価システムが知られている（例えば、特許文献２参照。）。
【０００４】
また、所定のテストパターンを表示するためのチャンネルデータを記憶する表示装置がそのテストパターンを画面に表示するとともに、自動的に表示パターンの色合いや輝度を切り替えることによって、検品の際に作業者は操作することなくテストパターンの表示状態の確認のみを行うことを可能にするテレビジョンが知られている（例えば、特許文献３参照。）。
【０００５】
また、信号発生装置にチャンネル番号を入力することによって、多くのチャンネルを備えるテレビジョン受像機のチャンネルを自動的に切り替えることを可能にして、短時間での選局評価を行うことを可能にする信号発生装置が知られている（例えば、特許文献４参照。）。
【特許文献１】特開２００１−１１２０３２号公報
【特許文献２】特開平８−３２２０６９号公報
【特許文献３】特開２００２−２３８０６３号公報
【特許文献４】特開平８−３２２０７０号公報
【発明の開示】
【発明が解決しようとする課題】
【０００６】
しかしながら、上記特許文献１の場合は、表示画面の切り替えのためにリモコンの操作が必要であり、また、上記特許文献４の場合は、信号発生装置の操作が必要であるので、作業者はそれらの操作を行いつつ、検品や選局評価の作業を行わなければならないので、検品や評価が煩雑になってしまうことがあるという問題があった。
【０００７】
また、上記特許文献２、特許文献３の場合は、検品後の製品の出荷前に、テストパターンに関するデータを消去するなどしてメモリを初期化しなければならないことがあり、煩わしいという問題があった。
【０００８】
本発明の目的は、検品を容易に行うことができるテレビジョン受信装置及びテレビジョン受信装置の検査方法を提供することである。
【課題を解決するための手段】
【０００９】
以上の課題を解決するため、請求項１に記載の発明は、
複数チャンネルの周波数データを予め記憶している記憶手段と、
前記記憶手段に記憶されている複数チャンネルの周波数データに応じて、所定のチャンネルを選局する選局制御手段と、
前記選局制御手段により選局されたチャンネルの周波数に応じた放送信号を受信する選局受信手段と、
前記選局受信手段により受信された放送信号に応じた映像を表示する表示手段と、
を備えるテレビジョン受信装置であって、
前記選局制御手段が、所定の順に所定のタイミング毎、様々なチャンネルを自動的に選局することによって、その選局されたチャンネルの周波数に応じた放送信号を前記選局受信手段が受信し、そのチャンネルに対応する映像を所定の順に所定のタイミング毎に前記表示手段が表示することを特徴とする。
【００１０】
請求項２に記載の発明は、
複数チャンネルの周波数データを予め記憶している記憶手段と、
前記記憶手段に記憶されている複数チャンネルの周波数データに応じて、所定のチャンネルを選局する選局制御手段と、
前記選局制御手段により選局されたチャンネルの周波数に応じた放送信号を受信する選局受信手段と、
前記選局受信手段により受信された放送信号に応じた映像を表示する表示手段と、
を備えるテレビジョン受信装置を工場生産時に検査するテレビジョン受信装置の検査方法であって、
複数のテレビジョン受信装置におけるそれぞれの前記選局制御手段に、様々なチャンネルを所定の順に所定のタイミング毎、自動的に選局させて、その選局されたチャンネルの周波数に応じた放送信号を前記選局受信手段に受信させるとともに、そのチャンネルに対応する映像を所定の順に所定のタイミング毎に、複数のテレビジョン受信装置のそれぞれの表示手段に表示させることによって、複数のテレビジョン受信装置における映像の表示状態の比較を行うことを特徴とする。
【発明の効果】
【００１１】
請求項１に記載の発明によれば、テレビジョン受信装置は、所定の順に所定のタイミング毎、様々なチャンネルを自動的に選局することによって、その選局されたチャンネルの周波数に応じた放送信号を選局受信手段が受信し、そのチャンネルに対応する映像を所定の順に所定のタイミング毎に表示手段が表示することができる。
そして、テレビジョン受信装置は、工場生産時やその出荷前などにおいて、その表示機能の検査を行う場合に、所定の制御処理に従って、所定のチャンネルを所定の順に所定のタイミング毎に自動的に選局して、その選局したチャンネルに対応する映像を所定の順に所定のタイミング毎に表示手段に表示することができる。
【００１２】
つまり、複数のテレビジョン受信装置を同時に検査するように、複数のテレビジョン受信装置の表示手段を検査作業者がそれぞれ視認できる状態に並べて、検査処理を実行することによって、複数のテレビジョン受信装置のそれぞれの表示手段に、所定順に所定タイミング毎にそれぞれ同じ映像が表示されては自動的に次の映像に切り替えられるので、それぞれの表示手段における映像の表示状態を比較することによって、複数のテレビジョン受信装置の中から映像の表示状態や表示形態に異常のあるテレビジョン受信装置を見付け出すようにして、テレビジョン受信装置の検査、検品を行うことが可能になっている。
特に、テレビジョン受信装置は、その検査処理の実行時に、所定のチャンネルを自動的に選局して表示手段に表示することができるので、検査作業者は、テレビジョン受信装置やリモコンなどを操作することなく、その表示装置に表示される映像をチェックすることに専念することができ、そのテレビジョン受信装置の検査、検品を容易に行うことが可能になる。
また、検査作業者は、複数のテレビジョン受信装置の表示手段の表示状態を比較するようにして、複数のテレビジョン受信装置をまとめて検査、検品することができるので、その検査作業の省力化、省時間化を図ることができる。
【００１３】
請求項２に記載の発明によれば、このテレビジョン受信装置の検査方法によって、複数のテレビジョン受信装置が様々なチャンネルを所定の順に所定のタイミング毎に自動的に選局して、その選局されたチャンネルの周波数に応じた放送信号を受信し、そのチャンネルに対応する映像を所定の順に所定のタイミング毎に、複数のテレビジョン受信装置のそれぞれの表示手段に表示させることにより、複数のテレビジョン受信装置における映像の表示状態の比較を行うことができる。
【００１４】
つまり、複数のテレビジョン受信装置を同時に検査するように、複数のテレビジョン受信装置の表示手段を検査作業者がそれぞれ視認できる状態に並べて、検査処理を実行することによって、複数のテレビジョン受信装置のそれぞれの表示手段に、所定順に所定タイミング毎にそれぞれ同じ映像が表示されては自動的に次の映像に切り替えられるので、それぞれの表示手段における映像の表示状態を比較することによって、複数のテレビジョン受信装置の中から映像の表示状態や表示形態に異常のあるテレビジョン受信装置を見付け出すようにして、テレビジョン受信装置の検査、検品を行うことが可能になっている。
特に、テレビジョン受信装置は、その検査処理の実行時に、所定のチャンネルを自動的に選局して表示手段に表示することができるので、検査作業者は、テレビジョン受信装置やリモコンなどを操作することなく、その表示装置に表示される映像をチェックすることに専念することができ、そのテレビジョン受信装置の検査、検品を容易に行うことが可能になる。
【発明を実施するための最良の形態】
【００１５】
以下に、本発明に係るテレビジョン受信装置及びテレビジョン受信装置の検査方法について、図面を用いて具体的な態様を説明する。ただし、発明の範囲は図示例に限定されない。
【００１６】
テレビジョン受信装置１０は、図１に示すように、所望のチャンネルに対応する周波数帯域に存在する放送信号を、アンテナ１を介して受信する選局受信手段としてのチューナ回路２と、チューナ回路２により受信された放送信号を映像信号に変換するワンチップＩＣ３と、ワンチップＩＣ３から出力される映像信号に基づく映像を表示する表示手段としてのモニタ４と、複数チャンネルの周波数データを予め記憶している記憶手段としてのＥＥＰＲＯＭ６と、リモコン１１と通信を行うための赤外線受光部７と、装置の各部を制御する制御部５等を備えている。
【００１７】
チューナ回路２は、アンテナ１を介して所望の選局周波数に応じた放送信号を受信可能であり、受信した放送信号を高周波増幅し、さらに中間周波数に変換してワンチップＩＣ３に出力する。
このチューナ回路２は、受信可能な多くのチャンネルの放送に関する複数の放送信号のうち、リモコン１１などから入力されたチャンネルに応じた放送信号を選択するようにして放送番組を切り替える選局処理を行う。
【００１８】
ワンチップＩＣ３は、チューナ回路２から出力された中間周波信号を中間周波増幅した後、検波を経て各種の信号処理を施して映像信号に変換するとともに、その映像信号をモニタ４に出力する。
このワンチップＩＣ３は、所定のＡＦＴ回路を備えており、映像中間周波数と基準周波数とのずれによって生じる誤差電圧（ＡＦＴ電圧）を利用してチューナ回路２の局部発振周波数を一定に保たせている。そして、ワンチップＩＣ３は、このＡＦＴ電圧と、同期偏向回路によって分離した同期信号とをそれぞれ個別の出力端子を介して選局制御手段である制御部５に出力している。
また、ワンチップＩＣ３は、入力された中間周波信号に所定の信号処理を施して得られた音声信号を、図示しないスピーカに出力する。
【００１９】
モニタ４は、例えば、液晶表示機器であり、アンテナ１を介してチューナ回路２が受信した放送信号に応じた映像や画像を表示する。
【００２０】
ＥＥＰＲＯＭ６は、このテレビジョン受信装置１０で受信可能な複数チャンネルの周波数データを記憶している。なお、ＥＥＰＲＯＭ６に記憶されている複数チャンネルの周波数データは、ユーザが実際に視聴する放送番組に関する周波数データである。
特に、ＥＥＰＲＯＭ６には、予めＤＴＶｃｈ情報を記憶する領域が設けられており、この領域の各ＢＹＴＥの最上位bit（１bit）を用いて、ＡＴＳＣｃｈかＱＡＭｃｈのチャンネル情報が設定され、残りの７bitでＤ０２ｃｈ〜Ｄ１２５ｃｈのチャンネル情報が設定されている。
【００２１】
赤外線受光部７は、リモコン１１の操作パネルに設けられた図示しないチャンネルボタンが押下されて操作されたことに伴いリモコン１１が送出したリモコン信号を受光して、そのリモコン信号を制御部５に出力する。
【００２２】
制御部５は、各種の処理や制御を実行するＣＰＵ５１と、各種の処理や制御を実行するためのプログラムや各種の処理や制御に要するデータが格納されたＲＯＭ５２と、各種データを格納して各種処理の作業領域となるＲＡＭ５３等を備えている。
【００２３】
ＣＰＵ５１は、リモコン１１を介して入力されるリモコン信号や、装置本体に設けられている操作ボタンなどが操作されたことに伴う操作信号等に応じて、ＲＯＭ５２に格納されているテレビジョン受信装置用の各種制御プログラムや各種データ、ＥＥＰＲＯＭ６に格納されているチャンネルの周波数データ等を読み出して展開し、そのプログラムやデータに従って装置各部の処理を集中制御して、処理結果をＲＡＭ５３内のワークエリアに格納するとともに、その処理結果に応じて装置の各部を動作制御する。
ＲＯＭ５２には、テレビジョン受信装置１０の制御プログラムや制御データ、各種画面の表示や表示切替に関するデータなどが格納されて記憶されている。また、ＲＯＭ５２には、テレビジョン受信装置１０における映像表示に関する検査を行うための検査用制御プログラムや制御データが記憶されている。
ＲＡＭ５３には、種々のワークメモリやカウンタなどが設けられており、入力されたり検出されたりしたデータの処理中のワークエリアとして使用される。
【００２４】
そして、制御部５は、リモコン１１が操作されたことに伴うチャンネル信号や、装置本体のチャンネルボタンが操作されたことに伴うチャンネル信号に基づき、ＥＥＰＲＯＭ６に記憶されている複数チャンネルの周波数データに応じて所定のチャンネルを選局する選局制御手段として機能する。
また、制御部５は、選局制御手段としての制御部５によって選局されたチャンネルの周波数に応じた放送信号をチューナ回路２に受信させて、その選局されたチャンネルの映像や画像であって、受信された放送信号に応じた映像や画像をモニタ４に表示する制御を実行する。
【００２５】
特に、本発明に係るテレビジョン受信装置１０において、例えば、所定の検査ボタンが操作されるなどして、テレビジョン受信装置１０における映像の表示状態の検査を行う場合に、選局制御手段としての制御部５が、所定の順に所定のタイミング毎、様々なチャンネルを自動的に選局することによって、その選局されたチャンネルの周波数に応じた放送信号をチューナ回路２が受信し、そのチャンネル（放送信号）に対応する映像を所定の順に所定のタイミング毎にモニタ４が表示する処理を実行する。
具体的には、所定の検査ボタンの操作などに応じて、テレビジョン受信装置１０における選局制御手段としての制御部５が、ＲＯＭ５２の検査用制御プログラムを実行することにより、その検査用プログラムによって定められている、例えば、１０種類のチャンネルを所定順に自動的に選局して、選局した各チャンネルの映像を所定のタイミング毎、例えば、３０秒毎に切り替えてモニタ４に表示する制御を実行する。
【００２６】
そして、所定順に所定タイミング毎に、それぞれ同じ映像が表示されては自動的に次の映像に切り替えられる複数のテレビジョン受信装置１０を並べるなどして、それぞれのモニタ４における映像の表示状態を比較することによって、複数のテレビジョン受信装置１０の中から映像の表示状態や表示形態に異常のあるテレビジョン受信装置１０を見付け出すようにして、テレビジョン受信装置１０の検査、検品を行うことが可能になっている。
【００２７】
次に、テレビジョン受信装置１０を工場生産時に検査するテレビジョン受信装置の検査方法を実施する際の処理について、図２に示すフローチャートに基づき説明する。
【００２８】
まず、テレビジョン受信装置１０における所定の検査ボタンが操作されたことを制御部５が検知すると（ステップＳ１０１；Ｙｅｓ）、制御部５は、検査用制御プログラムを実行し、検査のために表示するチャンネル数ｎの初期値をｎ＝１と設定する（ステップＳ１０２）。
【００２９】
次いで、制御部５は、ｎ番目のチャンネルを選択する処理を実行する（ステップＳ１０３）。
そして、制御部５は、所定の順（ｎ番目）のチャンネルの周波数に応じた放送信号を受信し、そのチャンネルの映像をモニタ４に表示する（ステップＳ１０４）。
なお、ここで、検査作業者は、複数のテレビジョン受信装置１０のそれぞれのモニタ４に表示される映像の表示状態を比較して、その映像の表示状態に異常のあるものを見付け出す検査を行う。
【００３０】
次いで、制御部５は、所定の順（ｎ番目）のチャンネルの映像を表示する所定時間（例えば、３０秒）が経過したか否か（つまり、次のチャンネルに切り替える所定のタイミングになったか否か）を判断する（ステップＳ１０５）。
制御部５が、所定時間経過しておらず、所定のタイミングになっていないと判断すると（ステップＳ１０５；Ｎｏ）、ステップＳ１０４に戻る。
一方、制御部５が、所定時間経過して、所定のタイミングになったと判断すると（ステップＳ１０５；Ｙｅｓ）、ステップＳ１０６へ進む。
【００３１】
ステップＳ１０６において、制御部５は、検査のために表示したチャンネル数ｎが規定値Ｎになったか否か（つまり、検査のために表示する全チャンネル数Ｎ（例えば、１０種類のチャンネル）を表示したか否か）を判断する（ステップＳ１０６）。
制御部５が、検査のために表示したチャンネル数ｎが規定値Ｎに達しておらず、まだ検査用の全チャンネルを表示していないと判断すると（ステップＳ１０６；Ｎｏ）、制御部５は、チャンネル数をプラス１カウント（ｎ＝ｎ＋１）して（ステップＳ１０７）、ステップＳ１０３に戻り、次のチャンネルを選択して切り替える処理に移行する。
【００３２】
一方、制御部５が、検査のために表示したチャンネル数ｎが規定値Ｎに達し、検査用の全チャンネルを表示した（ｎ＝Ｎ）と判断すると（ステップＳ１０６；Ｙｅｓ）、制御部５は、ミシンの電源をオフにして（ステップＳ１０８）、検査処理を終了する。
【００３３】
このように、本発明に係るテレビジョン受信装置１０は、工場生産時やその出荷前に、その表示機能の検査を行う場合、所定の検査用制御プログラムに従って、所定のチャンネルを所定の順に所定のタイミング毎に自動的に選局して、その選局したチャンネルに対応する映像を所定の順に所定のタイミング毎にモニタ４に表示することができる。
そして、複数のテレビジョン受信装置１０を同時に検査するように、複数のテレビジョン受信装置１０のモニタ４をそれぞれ視認できる状態に並べて、検査処理を実行することによって、複数のテレビジョン受信装置１０のそれぞれのモニタ４に、所定の検査用制御プログラムに従って選局されたチャンネルに対応する映像を所定の順に所定のタイミング毎に表示することができるので、複数のテレビジョン受信装置１０に表示される映像の表示状態の比較を行うことが可能になる。
【００３４】
つまり、複数のテレビジョン受信装置１０のモニタ４に、同じチャンネルの同じ映像が表示されるため、例えば、色調や輝度が異なるモニタ４があれば、他のモニタ４の表示状態と比較することによって、その異常を速やかに認識して判断することができる。
また、複数のテレビジョン受信装置１０のモニタ４において、チャンネルが切り替わるタイミングが異なるものや、表示されている映像が異なるものがあれば、他のモニタ４の表示状態と比較することによって、その異常を速やかに認識して判断することができる。
特に、テレビジョン受信装置１０は、その検査処理の実行時に、所定のチャンネルを自動的に選局してモニタ４に表示することができるので、検査作業者は、テレビジョン受信装置１０やリモコン１１を操作することなく、そのモニタ４に表示される映像をチェックすることに専念することができ、そのテレビジョン受信装置１０の検査、検品を容易に行うことが可能になる。
また、検査作業者は、複数のテレビジョン受信装置１０のモニタ４の表示状態を比較するようにして、複数のテレビジョン受信装置１０をまとめて検査、検品することができるので、その検査作業の省力化、省時間化を図ることができる。
【００３５】
また、この検査処理を実行する際に、テレビジョン受信装置１０のモニタ４に表示される映像は、ＥＥＰＲＯＭ６に記憶されている周波数データに基づくものであって、ユーザが実際に視聴する放送番組に関する周波数に応じた映像であるので、ユーザがテレビジョン受信装置１０を使用する場合とより近い状態や条件での検査を行うことが可能になる。
そして、その検査処理後に、検査に用いた周波数データを消去する必要はなく、その周波数データに基づき、ユーザが所望するチャンネルの放送番組の映像を視聴することが可能になっている。また、ユーザは、自動的に選局されたチャンネルに対応する映像を所定の順に所定のタイミング毎にモニタ４に表示する機能を、チャンネルサーチ機能として通常使用するようにしてもよい。
【００３６】
なお、本発明の適用は上述した実施形態に限定されることなく、本発明の趣旨を逸脱しない範囲で適宜変更可能である。
【図面の簡単な説明】
【００３７】
【図１】本発明に係るテレビジョン受信装置の要部構成を示すブロック図である。
【図２】本発明に係るテレビジョン受信装置の検査処理工程を示すフローチャートである。
【符号の説明】
【００３８】
１      アンテナ
２      チューナ回路（選局受信手段）
３      ワンチップＩＣ
４      モニタ（表示手段)
５      制御部（選局制御手段）
６      ＥＥＰＲＯＭ（記憶手段）
７      赤外線受光部
１０    テレビジョン受信装置
１１    リモコン
【図１】
2008078783.tif 000003
【図２】
2008078783.tif 000004